(57)【特許請求の範囲】
【請求項１】
浴槽循環水をバーナで温水に加熱する風呂熱交換器と、浴槽に取りつけられた循環アダプタから前記風呂熱交換器へ浴槽循環水が流れる戻り通路と、浴槽の水位を検出する水位センサと、浴槽水を循環させる循環ポンプと、給水をバーナで温水に加熱する給湯熱交換器と、この給湯熱交換器からのお湯はりと風呂の循環通路を切り換える切換三方弁と、前記風呂熱交換器の入口側と出口側を直結するバイパス通路および風呂熱交換器とバイパス通路を切り換えるバイパス三方弁と、バイパス通路と風呂熱交換器の出口側の合流点より下流に設けられた排水三方弁と、この排水三方弁の下流側に設けられた排水通路と、前記排水三方弁から循環アダプタへ浴槽循環水が流れる往き通路を構成し、浴槽水を戻り通路，切換三方弁，バイパス三方弁，バイパス通路，排水三方弁，排水通路を通し、排水停止水位まで器外に排出した後、浴槽水を戻り通路，切換三方弁，バイパス三方弁，風呂熱交換器，排水三方弁，往き通路，循環アダプタへ循環させ、前記風呂熱交換器で高温設定温度まで加熱し、その後に入浴設定水位まで水または低温水を浴槽に供給し、入浴設定温度まで加熱する自動お湯はり手段を備えた風呂給湯器。
【請求項２】
浴槽水を排水停止水位まで器外に排出した後、高温設定温度まで加熱した浴槽循環水を一定時間循環通路に滞留して高温殺菌を所定時間続けるようにした請求項１記載の風呂給湯器。
【発明の詳細な説明】
【０００１】
【発明の属する技術分野】
本発明は、浴槽水の浄化・殺菌のできる風呂給湯器に関するものである。
【０００２】
【従来の技術】
従来の風呂給湯器は例えば図４に示すような構成になっていた。
【０００３】
図４において、水は給水口より水量センサ１，水温センサ２を通り、給湯熱交換器３で給湯バーナ４の熱を吸収して、給湯センサ５，給湯水量制御弁６を通り、給湯出口より放出される。
【０００４】
浴槽水は、循環ポンプ７により、浴槽に取り付けられた循環アダプタ８，戻り通路９，水位センサ１０，切換三方弁１１，風呂センサ１２，水流スイッチ１３，風呂熱交換器１４，往き通路１５，循環アダプタ８と循環し、風呂センサ１２で検出する湯温が低下したとき、またはリモコンによる追焚き操作を行ったときに風呂バーナ１６が燃焼し、風呂熱交換器１４で熱を吸収して浴槽水の追焚きを行う。
【０００５】
浴槽へのお湯はりは、給湯熱交換器３で熱を吸収したお湯が給湯センサ５，給湯水量制御弁６を通り、給湯電磁弁１７，縁切弁１８を通り、風呂熱交換器１４，往き通路１５および切換三方弁１１，戻り通路９を通って循環アダプタ８から浴槽に入る。
【０００６】
そして、図５は従来の風呂給湯器の自動お湯はり手段のシーケンスを示すフローチャートで、浴槽に残り湯がある状態で自動お湯はり運転を行う際、残り湯の水位が入浴設定水位よりも低い場合、入浴設定水位まで浴槽にお湯はりを行った後、追焚き運転し、入浴設定温度まで沸き上げる。残り湯の水位が入浴設定水位以上の場合、追焚き運転のみで入浴設定温度まで沸き上げる。
【０００７】
【発明が解決しようとする課題】
しかしながら、従来の風呂給湯器では、浴槽内に溜まる垢や湯の汚れのために浴槽の湯を続けて使用することは不潔であり、これをきれいにするためには浴槽の湯を交換しなければならないため、手間のかかる作業であるという課題を有していた。
【０００８】
【課題を解決するための手段】
本発明は、上記課題を解決するため、浴槽に残り湯がある状態から自動お湯はり運転を行う場合、浴槽水を戻り通路，切換三方弁，バイパス三方弁，バイパス通路，排水三方弁，排水通路を通し、排水停止水位まで器外に排出した後、浴槽水を戻り通路，切換三方弁，バイパス三方弁，風呂熱交換器，排水三方弁，往き通路，循環アダプタへ循環させ、前記風呂熱交換器で高温設定温度に加熱して殺菌し、その後に入浴設定水位まで水または低温水を浴槽に供給し、入浴設定温度まで加熱する自動お湯はり手段を備えたものである。
【０００９】
上記発明によれば、浴槽の残り湯を高温に加熱するため、殺菌作用があり、浴槽水を清潔に保つことができる。また、残り湯を一旦排水停止水位まで排水した後、入浴時の設定水位まで新しい湯を補充することにより、残り湯の汚れを低減でき、再利用が可能で、湯を交換する期間を長くすることができるため、その手間を削減することができる。
【００１０】
【発明の実施の形態】
本発明は各請求項に記載した構成にすることにより実施できるものである。すなわち本発明の請求項１に記載の発明は、浴槽循環水をバーナで温水に加熱する風呂熱交換器と、浴槽に取りつけられた循環アダプタから前記風呂熱交換器へ浴槽循環水が流れる戻り通路と、浴槽の水位を検出する水位センサと、浴槽水を循環させる循環ポンプと、給水をバーナで温水に加熱する給湯熱交換器と、この給湯熱交換器からのお湯はりと風呂の循環通路を切り換える切換三方弁と、前記風呂熱交換器の入口側と出口側を直結するバイパス通路および風呂熱交換器とバイパス通路を切り換えるバイパス三方弁と、バイパス通路と風呂熱交換器の出口側の合流点より下流に設けられた排水三方弁と、この排水三方弁の下流側に設けられた排水通路と、前記排水三方弁から循環アダプタへ浴槽循環水が流れる往き通路を構成し、浴槽水を戻り通路，切換三方弁，バイパス三方弁，バイパス通路，排水三方弁，排水通路を通し、排水停止水位まで器外に排出した後、浴槽水を戻り通路，切換三方弁，バイパス三方弁，風呂熱交換器，排水三方弁、往き通路，循環アダプタへ循環させ、前記風呂熱交換器で高温設定温度少なくとも風呂熱交換器の出口で６０℃以上まで加熱し、その後に入浴設定水位まで水または低温水を浴槽に供給し、入浴設定温度まで加熱する自動お湯はり手段を備えたものである。
【００１１】
そして、浴槽の残り湯を高温に加熱するため、残り湯を殺菌して、浴槽水を清潔に保つことができる。また、残り湯を一旦排水停止水位まで排出した後、入浴時の設定水位まで新しい湯を補充することにより、残り湯の汚れを低減でき、再利用が可能で、湯を交換する期間を長くすることができるため、その手間を削減することができる。
【００１２】
また、請求項２に記載の発明は、浴槽水を排水停止水位まで器外に排出した後、高温設定温度まで加熱した浴槽循環水を一定時間循環通路に滞留して高温殺菌を所定時間続けるようにしたものであり、一定時間の間、循環通路が高温に保たれるために、循環水の殺菌効果をより高めることができる。
【００１３】
【実施例】
以下、本発明の実施例について図面を用いて説明する。
【００１４】
（実施例１）
図１は本発明の実施例１の構成を示し、水は給水口より水量センサ１，水温センサ２を通り、給湯熱交換器３で給湯バーナ４の熱を吸収して、給湯センサ５，給湯水量制御弁６を通り、給湯出口より放出される。
【００１５】
浴槽水は循環ポンプ７により、浴槽に取り付けられた循環アダプタ８，戻り通路９，水位センサ１０，切換三方弁１１，風呂センサ１２，水流スイッチ１３，バイパス三方弁１９，風呂熱交換器１４，排水三方弁２０，往き通路１５，循環アダプタ８と循環し、風呂センサ１２で検出する湯温が低下したとき、またはリモコンによる追焚き操作を行ったときに風呂バーナ１６が燃焼し、風呂熱交換器１４で熱を吸収して浴槽水の追焚きを行う。
【００１６】
浴槽へのお湯はりは、給湯熱交換器３で熱を吸収したお湯が給湯センサ５，給湯水量制御弁６を通り、給湯電磁弁１７，縁切弁１８を通り、バイパス三方弁１９，バイパス通路２０，排水三方弁２１，往き通路１５および切換三方弁１１，戻り通路９を通って循環アダプタ８から浴槽に入る。
【００１７】
図２は実施例１における自動お湯はり手段のシーケンスを示すフローチャートで、浴槽に残り湯がある状態で自動お湯はり運転を行う際、残り湯の水位が排水停止水位よりも高い場合、浴槽水を戻り通路９，切換三方弁１１，バイパス三方弁１９，バイパス通路２０，排水三方弁２１，排水通路２２を通し、排水停止水位まで器外に排出する。
【００１８】
排水停止後、循環ポンプ７により、浴槽水を循環アダプタ８，戻り通路９，水位センサ１０，切換三方弁１１，風呂センサ１２，水流スイッチ１３，バイパス三方弁１９，風呂熱交換器１４，排水三方弁２１，往き通路１５，循環アダプタ８と循環させながら、風呂バーナ１６を燃焼させ、風呂センサ１２で高温設定温度を検知すると、風呂バーナ１６の燃焼が停止する。すなわち風呂バーナ１６で浴槽水を高温に加熱して浴槽水中の菌を殺菌した後風呂バーナ１６の燃焼を停止する。そして、風呂バーナ１６の燃焼停止後、給湯電磁弁１７，水電磁弁２３を開き、入浴設定水位まで水または低温水を浴槽に供給した後、入浴設定温度に達していないときには、風呂バーナ１６を燃焼させ、入浴設定温度まで沸き上げる。
【００１９】
残り湯の水位が排水停止水位以下の場合、従来と同様に、給湯電磁弁１７を開き、入浴設定温度の湯を入浴設定水位まで浴槽に供給する。
【００２０】
（実施例２）
図３は実施例２における自動お湯はり手段のシーケンスを示すフローチャートで、風呂バーナ１６の燃焼停止後、待機時間を設け、循環通路を高温に保って循環水の殺菌効果を高めた後、給湯電磁弁１７，水電磁弁２３を開き、入浴設定水位まで水または低温水を浴槽に供給し、入浴設定温度に達していないときには、風呂バーナ１６を燃焼させ、入浴設定温度まで沸き上げる。
【００２１】
【発明の効果】
以上のように請求項１記載に係る風呂給湯器は浴槽の残り湯を所定水位にまで排水した後高温に加熱するため、高温による殺菌をして浴槽水を清潔に保つことができ、また、残り湯を所定水位まで排水した後、入浴時の設定水位まで新しい湯を補充することにより、残り湯の汚れを低減でき、再利用可能で、湯を交換する期間を長くすることができるため、その手間を削減することができる。
【００２２】
そして請求項２記載に係る風呂給湯器は、請求項１記載に係る発明において高温殺菌をする高温保持を所定時間行うことにより殺菌効果をあげることができる。
【図面の簡単な説明】
【図１】本発明の実施例１における風呂給湯器の構成図
【図２】同風呂給湯器の自動お湯はり手段のシーケンス図
【図３】本発明の実施例２における風呂給湯器の自動お湯はり手段のシーケンス図
【図４】従来例の風呂給湯器の構成図
【図５】同風呂給湯器の自動お湯はり手段のシーケンス図
【符号の説明】
３  給湯熱交換器
７  循環ポンプ
８  循環アダプタ
９  戻り通路
１０  水位センサ
１２  風呂センサ
１４  風呂熱交換器
１５  往き通路
１９  バイパス三方弁
２０  バイパス通路
２１  排水三方弁
２２  排水通路
【図１】
0003812102.tif 000002
【図２】
0003812102.tif 000003
【図３】
0003812102.tif 000004
【図４】
0003812102.tif 000005
【図５】
0003812102.tif 000006